(57)【要約】【課題】独立した冷却システムと冷却加温システムを備えたヒートポンプ式自動販売機で、ユニットのサービス性を向上させるように機械室内の機能部品を配置した自動販売機を提供する。【解決手段】第１圧縮機４０と第１熱交換器４１と冷媒の流路を切替える流路切替弁からなる第１ユニットと、庫内を冷却する冷凍サイクルに接続された第２圧縮機３６と凝縮器３７からなる第２ユニットを備えており、第１熱交換器４１と凝縮器３７は共にフィンチューブコンデンサで形成され、第１熱交換器４１と凝縮器３７は前後に重ね合わせて、後方に機械室の前から空気を吸い込むファン４４を配置したことにより、狭い機械室内に独立した冷却サイクルと冷却加温サイクルを構成する機能部品を効率よく配置することができ、サービス時には故障した側のユニットを取り出すだけで済むため、サービス時の効率を高めることができる。【選択図】図１
2010250639.tif 000002
【特許請求の範囲】
【請求項１】
複数の庫内に区画して、前記庫内に投入された商品を冷却または加温する商品収納庫と、前記商品収納庫と区画壁によって上下方向に区画形成された機械室を備えた自動販売機において、前記機械室内には前記庫内を冷却および加温する冷却加温システムに接続された第１圧縮機と第１熱交換器と冷媒の流路を切替える流路切替弁を備えた第１ユニットと、前記第１ユニットを載置する第１ユニットベースと、前記庫内を冷却する冷却システムに接続された第２圧縮機と凝縮器を備えた第２ユニットと、前記第２ユニットを載置する第２ユニットベースとを備え、前記第１ユニットベースと前記第２ユニットベースは独立して形成され、前記第１熱交換器と前記凝縮器は前後方向に重ね合わせて配置し、前記第１熱交換器と前記凝縮器の後方に機械室の前から空気を吸い込むファンを配置したことを特徴とする自動販売機。
【請求項２】
複数の庫内に区画して、前記庫内に投入された商品を冷却または加温する商品収納庫と、前記商品収納庫と区画壁によって上下方向に区画形成された機械室を備えた自動販売機において、前記機械室内には前記庫内を冷却および加温する冷却加温システムに接続された第１圧縮機と第１熱交換器と冷媒の流路を切替える流路切替弁を備えた第１ユニットと、前記第１ユニットを載置する第１ユニットベースと、前記庫内を冷却する冷却システムに接続された第２圧縮機と凝縮器を備えた第２ユニットと、前記第２ユニットを載置する第２ユニットベースとを備え、前記第１ユニットベースと前記第２ユニットベースは独立して形成され、前記第１熱交換器と前記凝縮器は左右方向に重ね合わせて配置し、前記第１熱交換器と前記凝縮器の左右どちらかに機械室の前から空気を吸い込むファンを配置したことを特徴とする自動販売機。
【請求項３】
複数の庫内に区画して、前記庫内に投入された商品を冷却または加温する商品収納庫と、前記商品収納庫と区画壁によって上下方向に区画形成された機械室を備えた自動販売機において、前記機械室内には前記庫内を冷却および加温する冷却加温システムに接続された第１圧縮機と第１熱交換器と冷媒の流路を切替える流路切替弁を備えた第１ユニットと、前記第１ユニットを載置する第１ユニットベースと、前記庫内を冷却する冷却システムに接続された第２圧縮機と凝縮器を備えた第２ユニットと、前記第２ユニットを載置する第２ユニットベースとを備え、前記第１ユニットベースと前記第２ユニットベースは独立して形成され、前記第１熱交換器と前記凝縮器を上下方向に重ねて配置し、前記凝縮器の下方に機械室の前から空気を吸い込むファンを配置したことを特徴とする自動販売機。
【請求項４】
前記第１熱交換器と前記凝縮器は共にフィンチューブを備えたことを特徴とする請求項１から３のいずれか一項に記載の自動販売機。
【請求項５】
冷却加温システムと冷却システムには可燃性冷媒を適用したことを特徴とする請求項１から４のいずれか一項に記載の自動販売機。
【発明の詳細な説明】
【技術分野】
【０００１】
本発明は缶・びん入り飲料商品などの商品を冷却もしくは加温して販売する自動販売機に関するものである。
【背景技術】
【０００２】
従来、この種の自動販売機は省エネを目的に冷却加温するシステムが提案されている。（特許文献１参照）
図６は、特許文献１に記載された従来の自動販売機の冷媒回路図を示すものである。図に示すように、自動販売機の庫内は３つに分割され、冷却専用庫（以下左室という）、冷却加温庫Ｂ（以下中室という）、冷却加温庫Ｃ（以下右室という）にそれぞれ対応して、後に詳述する利用側ユニット１Ａ（特定利用側ユニット）、利用側ユニット１Ｂ及び利用側ユニット１Ｃが設けられ、各ユニットにはそれぞれ送風機が設けられている。自動販売機の庫外側には、熱源側ユニット２及び送風機２０が設けられている。そして、これら熱源側ユニット２、利用側ユニット１Ａ〜１Ｃにて自動販売機の冷却加温装置が構成される。
【０００３】
次に、冷媒回路について説明する。前記熱源側ユニット２は、圧縮機１８と熱源側熱交換器１９と気液分離器２１などから構成されると共に、前記利用側ユニット１Ａ、１Ｂ及び１Ｃは、前記利用側熱交換器１２Ａ、１２Ｂ及び１２Ｃを有している。そして、熱源側熱交換器１９を圧縮機１８の冷媒吐出管３と冷媒吸込管４とに切換弁５Ａ、５Ｂを分岐接続する一方、熱源側ユニット２と利用側ユニット１Ａ、１Ｂ、１Ｃとを接続するユニット間配管６を冷媒吐出管３と分岐接続された高圧ガス管７と、冷媒吸込管４と分岐接続された低圧ガス管８と、液管９とで構成している。
【０００４】
そして、利用側ユニット１Ａの利用側熱交換器１２Ａは、低圧ガス管８と接続されると共に、液管９には電動膨張弁等の冷媒流量制御弁１４を介して接続されている。また、利用側ユニット１Ｂ、１Ｃの利用側熱交換器１２Ｂ、１２Ｃは、高圧ガス管７と低圧ガス管８とにそれぞれ切換弁１０Ａ、１０Ｂ、１１Ａ、１１Ｂを介して分岐接続され、液管９には電動式膨張弁等の冷媒流量制御弁１５、１６を介して接続されている。
【０００５】
尚、電動式膨張弁等の冷媒流量制御弁１７を液管９に介在させている。また、左室は冷却のみ行うため、利用側ユニット１Ａには利用側ユニット１Ｂ、１Ｃの如き切換弁１０Ａ、１０Ｂ、１１Ａ、１１Ｂは設けていないが、切換弁を冷媒吐出管３と冷媒吸込管４とに分岐接続して、加温も可能としても良い。更に、左室を加温専用庫としても良く、その場合には当然に利用側熱交換器１２Ａは高圧ガス管７に接続されることになる。
【０００６】
ここで、従来例の各熱交換器の容量は、利用側熱交換器１２Ｂの容量を１とした場合、利用側熱交換器１２Ｃの容量が２、利用側熱交換器１２Ａの容量が３、熱源側熱交換器１９の容量は６となるように設定されている。
【０００７】
次に、図７は、特許文献１に記載された従来の自動販売機の制御装置の構成図を示すものである。図７に示すように、制御装置Ｃは、汎用マイクロコンピュータ２２により構成されており、入力側には商品の選択ボタンと、左室、中室、右室のそれぞれに取り付けられる温度検出手段としての温度センサ２３Ａ、２３Ｂ、２３Ｃが接続されている。また、マイクロコンピュータ２２の出力側には、各切換弁５Ａ、５Ｂ、１０Ａ、１０Ｂ、１１Ａ、１１Ｂと、各冷媒流量制御弁１４、１５、１６と、冷媒流量制御弁１７と、圧縮機１８、各送風機、及び各商品搬出装置が接続されている。
【０００８】
以上のように構成された自動販売機について、以下その動作を説明する。
【０００９】
まず、左室、中室、右室の全てを冷却庫として商品を冷却する場合について説明する。前記温度センサ２３Ａ、２３Ｂ、２３Ｃが検出した温度が冷却設定温度以上であった場合、前記マイクロコンピュータ２２は、熱源側熱交換器１９の冷媒吐出管３の切換弁５Ａを開き、冷媒吸込管４の切換弁５Ｂを閉じ、且つ、利用側熱交換器１２Ｂ、１２Ｃの高圧ガス管７の切換弁１０Ａ、１１Ａを閉じ、低圧ガス管８の切換弁１０Ｂ、１１Ｂを開く。
【００１０】
これにより、圧縮機１８から吐出された冷媒は、冷媒吐出管３、切換弁５Ａ、熱源側熱交換器１９と順次流れてここで凝縮液化した後、冷媒流量制御弁１７及び液管９を経て、各利用側ユニット１Ａ、１Ｂ、１Ｃの冷媒流量制御弁１４、１５、１６に分配され、ここで減圧される。
【００１１】
尚、このときマイクロコンピュータ２２は、冷媒流量制御弁１７は全開とすると共に、冷媒流量制御弁１４、１５、１６は温度センサ２３Ａ、２３Ｂ、２３Ｃの出力に基づいて絞り量が調節される。然る後、各冷媒流量制御弁１４、１５、１６を経た冷媒は、各利用側熱交換器１２Ａ、１２Ｂ、１２Ｃに流入して蒸発気化した後、利用側熱交換器１２Ｂ、１２Ｃからは、切換弁１０Ｂ、１１Ｂを経て低圧ガス管８に入り、利用側熱交換器１２Ａからはそのまま低圧ガス管８に入る。そして、低圧ガス管８で合流した冷媒は、冷媒吸込管４、気液分離器２１を順次経て圧縮機１８に吸い込まれる。
【００１２】
このように、この場合には熱源側熱交換器１９は凝縮器として作用し、全利用側熱交換器１２Ａ、１２Ｂ、１２Ｃは蒸発器として作用するので、左室、中室、右室の全てが同時に冷却されることになる。また、前述の如く熱源側熱交換器１９の容量は、全利用側熱交換器１２Ａ〜１２Ｃの容量の総和に略等しくなるので、蒸発器として作用する利用側熱交換器１２Ａ、１２Ｂ、１２Ｃからの排熱は、熱源側熱交換器１９にて十分に放散できる。次に、左室及び中室を冷却する一方、右室は加温する場合について説明する。
【００１３】
例えば前記温度センサ２３Ａ、２３Ｂが検出した温度が冷却設定温度以上である場合、マイクロコンピュータ２２は熱源側熱交換器１９の切換弁５Ａを開くと共に、切換弁５Ｂを閉じ、且つ、冷却する利用側熱交換器１２Ｂの切換弁１０Ａを閉じ、切換弁１０Ｂは開き、且つ、加温する利用側熱交換器１２Ｃの切換弁１１Ａを開き、切換弁１１Ｂは閉じる。
【００１４】
これにより、圧縮機１８から吐出された冷媒の一部は冷媒吐出管３、切換弁３４Ａを順次経て、熱源側熱交換器１９に流れると共に、残りの冷媒は高圧ガス管７を経て、加温する利用側ユニット１Ｃの切換弁１１Ａから利用側熱交換器１２Ｃへと流入する。
【００１５】
そして、この利用側熱交換器１２Ｃと熱源側熱交換器１９にて凝縮液化される。これら熱交換器１２Ｃ、１９で凝縮液化された冷媒は、液管９を経て利用側ユニット１Ａ、１Ｂの冷媒流量制御弁１４、１５で減圧された後、それぞれの利用側熱交換器１２Ａ、１２Ｂに流入して蒸発気化する。
【００１６】
尚、マイクロコンピュータ２２は、冷媒流量制御弁１６及び冷媒流量制御弁１７を全開とすると共に、冷媒流量制御弁１４、１５は、温度センサ２３Ａ、２３Ｂの出力に基づいて調節する。
【００１７】
利用側熱交換器１２Ａを経た冷媒は低圧ガス管８に、また、利用側熱交換器１２Ｂを経た冷媒は切換弁１０Ｂを経た後低圧ガス管８に流入して合流し、冷媒吸込管４、気液分離
機２１を順次経て圧縮機１８に吸い込まれる。このように、この場合には利用側熱交換器１２Ｃは凝縮器として作用するので、右室は加温され、蒸発器として作用する利用側熱交換器１２Ａ、１２Ｂにて左室及び中室は冷却されることになる。
【００１８】
係る冷却加温同時運転時、利用側ユニット１Ｃの冷媒流量制御弁１６が全開して冷媒圧力損失が生じないようにしているが、液管９内の液冷媒圧力がアンバランスと成らないように、マイクロコンピュータ２２は冷媒流量制御弁１７で圧力調整する。
【００１９】
このように、利用側ユニット１Ｃでは利用側ユニット１Ａ及び１Ｂの冷却時に生じる排熱を利用して右室の加温を行うことができるため、効率的に熱回収及び利用を行うことができ、効率の良い運転を行うことができる。そのため、電気ヒータだけで加温を行っていた従来の自動販売機と比して、電力消費量を減少させることができ、ランニングコストの低減を図ることができる。
【００２０】
次に、左室を冷却すると共に、中室、右室は加温する場合について説明する。
【００２１】
温度センサ２３Ａが検出した温度が冷却設定温度以上である場合、前記マイクロコンピュータ２２は熱源側熱交換器１９の切換弁５Ａ及び５Ｂを閉じ、且つ、加温する利用側熱交換器１２Ｂの切換弁１０Ａを開き、切換弁１０Ｂを閉じ、利用側熱交換器１２Ｃの切換弁１１Ａを開き、切換弁１１Ｂを閉じる。
【００２２】
これにより、圧縮機１８から吐出された冷媒は冷媒吐出管３、高圧ガス管７を経て加温する各利用側ユニット１Ｂ、１Ｃの各切換弁１０Ａ、１１Ａから各利用側熱交換器１２Ｂ、１２Ｃへと流入し、これら利用側熱交換器１２Ｂ、１２Ｃで凝縮液化されるようになる。そして、これら利用側熱交換器１２Ｂ、１２Ｃで凝縮液化された冷媒は、液管３８を経て利用側ユニット１Ａの冷媒流量制御弁１４で減圧された後、利用側熱交換器１２Ａで蒸発気化される。
【００２３】
尚、マイクロコンピュータ２２は冷媒流量制御弁１５、１６及び冷媒流量制御弁１７を全開とすると共に、冷媒流量制御弁１４は温度センサ２３Ａの出力に基づいて調節する。
【００２４】
利用側熱交換器１２Ａを経た冷媒は低圧ガス管８に流入し、冷媒吸込管４、気液分離器２１を順次経て圧縮機１８に吸い込まれる。このように、この場合には凝縮器として作用する利用側熱交換器１２Ｂ、１２Ｃで中室、右室が加温され、蒸発器として作用する利用側熱交換器１２Ａで左室が冷却されるようになる。
【００２５】
以上の如く、利用側ユニット１Ｂ、１Ｃによる加温は、利用側ユニット１Ａの冷却時に生じる排熱を利用して行われるため、効率的に熱回収及び利用を行うことができ、効率の良い運転を行うことができる。
【００２６】
ここで、従来例における各利用側熱交換器１２Ａ、１２Ｂ、１２Ｃのそれぞれの容量は、前述の如く利用側熱交換器１２Ａの容量（比率３）＝利用側熱交換器１２Ｂの容量（比率１）＋利用側熱交換器１２Ｃの容量（比率２）とされている。これにより、利用側熱交換器１２Ａが蒸発器として作用する際の排熱を全て利用して利用側熱交換器１２Ｂ、１２Ｃを加温することができるため、熱源側熱交換器１９を使用して排熱処理する必要がなくなり、無駄のない熱回収による効率の良い運転を行うことができる。
【００２７】
従って、この場合にも電気ヒータだけで加温を行っていた従来の自動販売機と比して、電力消費量を削減することができ、ランニングコストの低減を図ることができる。
【００２８】
ここで、外気の熱を利用して冷却加温するこの種のヒートポンプにおいては、圧縮機１８と熱源側熱交換器１９を同一の風路内に設置して放熱ファン２４で同時に熱交換するものが知られている。そして、熱源側熱交換器１９を凝縮器として作用させる場合は、圧縮機１８と熱源側熱交換器１９を同時に空冷できるので都合が良い。
【先行技術文献】
【特許文献】
【００２９】
【特許文献１】特開２００１−８４４４７号公報
【発明の概要】
【発明が解決しようとする課題】
【００３０】
しかしながら、庫内を加温運転する場合に、熱源側熱交換器１９を蒸発器として作用させるので、圧縮機１８の周りの周囲温度は通常外気温度に近いため、高温の圧縮機外郭からの放熱作用のため、圧縮機はかなり温度が低下している。加温運転時には、この圧縮機からの放熱作用は、圧縮機から吐出される冷媒ガスの温度を低下させるために室内側に運ばれる熱量を減少させ室内側での熱交換器の温度を低下させ、その熱交換される熱量を減少させていた。
【００３１】
上記従来の構成では、１つの圧縮機と庫内外に備えた熱交換器への冷媒流路を切替えることで冷却、加温運転を行うため、圧縮機と熱源側熱交換器が放熱ファンで同時に空冷あるいは熱交換されるため、加温運転時においても圧縮機に風が当たることになり、圧縮機から放熱する分だけ加温能力が低下して効率が低下する。
【００３２】
本発明は、上記従来の課題を解決するもので、自動販売機の狭い機械室の中に２つの独立した冷却サイクルと冷却加温サイクルを構成し、冷却サイクルとしての圧縮機と、冷却加温サイクルの圧縮機とを効率よく適正に配置し、その他の構成部品の熱交換器や蒸発皿などを凝縮能力や蒸発能力を高めるように機械室内に配置して、冷却若しくは加温用の圧縮機からの放熱作用を抑制して、室内側に運ばれる熱量を維持させ室内側での熱交換器の温度を適温に維持し、加温効率を高めることができる自動販売機を提供することを目的とする。
【００３３】
またこの自動販売機は冷却サイクルと冷却加温サイクルを２つの独立したユニットとして形成することでサービス性の向上を高めることを目的とする。
【課題を解決するための手段】
【００３４】
上記従来の課題を解決するために、本発明の自動販売機は、機械室内に庫内を冷却および加温する冷却加温システムに接続された第１圧縮機と第１熱交換器と冷媒の流路を切替える流路切替弁を備えた第１ユニットと、前記第１ユニットを載置する第１ユニットベースと、前記庫内を冷却する冷却システムに接続された第２圧縮機と凝縮器を備えた第２ユニットと、前記第２ユニットを載置する第２ユニットベースとを備え、前記第１ユニットベースと前記第２ユニットベースは独立して形成され、前記第１熱交換器と前記凝縮器は前後方向に重ね合わせて配置し、前記第１熱交換器と前記凝縮器の後方に機械室の前から空気を吸い込むファンを配置したものである。
【００３５】
これによって、狭い機械室内に独立した冷却サイクルと冷却加温サイクルを構成する機能部品を効率よく配置することができるとともに、第１ユニットベースと第２ユニットベースは独立して形成されているので、サービス時には故障した側のユニットを取り出すだけで済むため、サービス時の効率を高めることができる。
【発明の効果】
【００３６】
本発明の自動販売機は冷却加温システムの加温効率を高めるとともに、ユニット故障時のサービス性を高める自動販売機を提供することができる。
【図面の簡単な説明】
【００３７】
【図１】本発明の実施の形態１における自動販売機の冷媒配管図
【図２】本発明の実施の形態１における自動販売機の機械室概略図
【図３】本発明の実施の形態１におけるサービス時の自動販売機の機械室概略図
【図４】本発明の実施の形態２における自動販売機の機械室概略図
【図５】本発明の実施の形態３における自動販売機の機械室概略図
【図６】従来の自動販売機の冷媒回路図
【図７】従来の自動販売機の制御装置の構成図
【発明を実施するための形態】
【００３８】
請求項１に記載の発明は、複数の庫内に区画して、前記庫内に投入された商品を冷却または加温する商品収納庫と、前記商品収納庫と区画壁によって上下方向に区画形成された機械室を備えた自動販売機において、前記機械室内には前記庫内を冷却および加温する冷却加温システムに接続された第１圧縮機と第１熱交換器と冷媒の流路を切替える流路切替弁を備えた第１ユニットと、前記第１ユニットを載置する第１ユニットベースと、前記庫内を冷却する冷却システムに接続された第２圧縮機と凝縮器を備えた第２ユニットと、前記第２ユニットを載置する第２ユニットベースとを備え、前記第１ユニットベースと前記第２ユニットベースは独立して形成され、前記第１熱交換器と前記凝縮器は前後方向に重ね合わせて配置し、前記第１熱交換器と前記凝縮器の後方に機械室の前から空気を吸い込むファンを配置したものであり、狭い機械室内に独立した冷却サイクルと冷却加温サイクルを構成する機能部品を効率よく配置することができ、サービス時には故障した側のユニットを取り出すだけで済むため、サービス時の効率を高めることができる。
【００３９】
請求項２に記載の発明は、複数の庫内に区画して、前記庫内に投入された商品を冷却または加温する商品収納庫と、前記商品収納庫と区画壁によって上下方向に区画形成された機械室を備えた自動販売機において、前記機械室内には前記庫内を冷却および加温する冷却加温システムに接続された第１圧縮機と第１熱交換器と冷媒の流路を切替える流路切替弁を備えた第１ユニットと、前記第１ユニットを載置する第１ユニットベースと、前記庫内を冷却する冷却システムに接続された第２圧縮機と凝縮器を備えた第２ユニットと、前記第２ユニットを載置する第２ユニットベースとを備え、前記第１ユニットベースと前記第２ユニットベースは独立して形成され、前記第１熱交換器と前記凝縮器は左右方向に重ね合わせて配置し、前記第１熱交換器と前記凝縮器の左右どちらかに機械室の前から空気を吸い込むファンを配置したものであり、狭い機械室内に独立した冷却サイクルと冷却加温サイクルを構成する機能部品を効率よく配置することができ、サービス時には故障した側のユニットを取り出すだけで済むため、サービス時の効率を高めることができる。
【００４０】
請求項３に記載の発明は、複数の庫内に区画して、前記庫内に投入された商品を冷却または加温する商品収納庫と、前記商品収納庫と区画壁によって上下方向に区画形成された機械室を備えた自動販売機において、前記機械室内には前記庫内を冷却および加温する冷却加温システムに接続された第１圧縮機と第１熱交換器と冷媒の流路を切替える流路切替弁を備えた第１ユニットと、前記第１ユニットを載置する第１ユニットベースと、前記庫内を冷却する冷却システムに接続された第２圧縮機と凝縮器を備えた第２ユニットと、前記第２ユニットを載置する第２ユニットベースとを備え、前記第１ユニットベースと前記第２ユニットベースは独立して形成され、前記第１熱交換器と前記凝縮器を上下方向に重ねて配置し、前記第１熱交換器と前記凝縮器の下方に機械室の前から空気を吸い込むファンを配置したものであり、狭い機械室内に独立した冷却サイクルと冷却加温サイクルを構成する機能部品を効率よく配置することができ、サービス時には故障した側のユニットを
取り出すだけで済むため、サービス時の効率を高めることができる。
【００４１】
請求項４に記載の発明は、請求項１から３のいずれか一項に記載の発明において、前記第１熱交換器と前記凝縮器は共にフィンチューブを備えたものであり、熱交換効率を高めることで少スペース化を図ることができる。
【００４２】
請求項５に記載の発明は、請求項１から４のいずれか一項に記載の発明において、冷却加温システムと冷却システムには可燃性冷媒を適用したものであり、それぞれのシステムの充填冷媒を少なくでき、可燃性冷媒適用時の安全性を高めることができる。また、それぞれのユニットを個別で処理できるため、サービス等のメンテナンス時の安全性を高めることができる。
【００４３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００４４】
（実施の形態１）
図１は、本発明の実施の形態１における自動販売機の冷媒配管図、図２は同実施の形態１の自動販売機の機械室内での構成部品の配置を示した概略図、図３はサービス時における同実施の形態１の自動販売機の機械室内での構成部品の配置を示した概略図である。図１において本実施の自動販売機は貯蔵室としてコールド専用室３２とホット／コールド切替室３０、３１とを備え、コールド専用室３２、コールド／ホット切替室３１内に設置した蒸発器３５、３４と商品を収納する区画の下部に設けた機械室内に設置した圧縮機３６、凝縮器３７と膨張機構である膨張弁３８、３９とそれらを環状に連結した配管よりなる冷却システムと、コールド／ホット切替室３０内に設置された第２熱交換器３３と、貯蔵室の下部に設けた機械室内に設置された圧縮機４０、第１熱交換器４１、冷却時と加温時に冷媒流路を切替える切替弁４２、コールド／ホット切替室用膨張機構である膨張弁４３とそれらを環状に連結した配管よりなる冷却加温システムとを有する。
【００４５】
なお、前記冷却システムおよび冷却加温システムには、自然冷媒であるシクロペンタンなどの可燃性冷媒を適用している。
【００４６】
ここで、第２熱交換器３３、第１熱交換器４１はフィンチューブ熱交換器で構成され、冷却加温システムの加温時は第２熱交換器３３が凝縮器、第１熱交換器４１が蒸発器として、冷却時は第２熱交換器３３が蒸発器、第１熱交換器４１が凝縮器として作用する。
【００４７】
また、第２熱交換器３３、蒸発器３５、３４、第１熱交換器４１近傍には熱交換促進のためにファン４４が設置されていて、強制対流による熱交換が可能である。
【００４８】
ここで、図２において冷却システムを構成する部品である圧縮機３６、凝縮器３７は機械室のコールド専用室３２側である前方から向かって左側に設置された冷却側ユニットベース４６上に形成されており、冷却加温システムを構成する部品である圧縮機４０、第１熱交換器４１、四方切替弁４２は機械室のコールド／ホット切替室３０側である前方から向かって右側に設置された冷却加温側ユニットベース４７上に分離して配置されている。また、凝縮器が前で第１熱交換器が後ろになるよう前後に重ねあうように配置され、ファン４４が前面からみて一番奥にくるよう配置されている。
【００４９】
このように機械室内で、冷却システムを構成する部品と冷却加温システムを構成する部品とを左右に分離して配置することでまず、その組立て時に配管が混在する部分がなくなり、組立てやすくなるのと配管混在による配管の連結間違いを防ぐことができるとともに
、それぞれのシステムを構成する部品が近くに固められるのでそれらを連結する配管の長さを短くすることができ、外観がシンプルになることで部品、配管の識別が容易になると共に、配管長さが短くなることで封入する冷媒量を減らすことが可能となる。さらに、図３のようにユニットベースごと分離することによって、ひとつのユニットベースに２つのサイクル構成部品を配置することと比較して、それぞれのユニットベースをより小型化、軽量化できることとなり、特にサービス時や故障時などにおいて片側のシステムのみをメンテナンス、修理する際にその作業性を向上することが可能となる。
【００５０】
（実施の形態２）
図４は、本発明の実施の形態２における自動販売機の機械室内の概略図である。なお、実施の形態１と同一構成については同一符号を付して詳細な説明を省略する。
【００５１】
図４において、冷却システムを構成する部品である圧縮機３６、凝縮器３７は機械室のコールド専用室３２側である前方から向かって左側に設置された冷却側ユニットベース４６上に形成されており、冷却加温システムを構成する部品である圧縮機４０、第１熱交換器４１、四方切替弁４２は機械室のコールド／ホット切替室３０側である前方から向かって右側に設置された冷却加温側ユニットベース４７上に分離して配置されている。
【００５２】
そして、凝縮器３７と第１熱交換器４１が左右方向で重ねあうように配置され、ファン４４が第１熱交換器４１のさらに右にくるよう配置されている。
【００５３】
上記構成により、狭い機械室内に独立した冷却サイクルと冷却加温サイクルを構成する機能部品を効率よく配置することができ、サービス時には故障した側のユニットを取り出すだけで済むため、サービス時の効率を高めることができる。
【００５４】
（実施の形態３）
図５は、本発明の実施の形態３における自動販売機の機械室内の概略図である。なお、実施の形態１と同一構成については同一符号を付して詳細な説明を省略する。
【００５５】
図５において、冷却システムを構成する部品である圧縮機３６、凝縮器３７は機械室のコールド専用室３２側である前方から向かって左側に設置された冷却側ユニットベース４６に形成されており、冷却加温システムを構成する部品である圧縮機４０、第１熱交換器４１、四方切替弁４２は機械室のコールド／ホット切替室３０側である前方から向かって右側に設置された冷却加温側ユニットベース４７上に分離して配置されている。
【００５６】
そして、凝縮器３７が上で第１熱交換器４１が下になるよう上下に重ねあうように配置され、ファン４４が第１熱交換器４１のさらに下にくるよう配置されている。
【００５７】
上記構成により、狭い機械室内に独立した冷却サイクルと冷却加温サイクルを構成する機能部品を効率よく配置することができ、サービス時には故障した側のユニットを取り出すだけで済むため、サービス時の効率を高めることができる。
【産業上の利用可能性】
【００５８】
以上のように、本発明にかかる自動販売機は、複数の冷却システムの組立て性、作業性を向上することができるので、複数の冷却ユニットを備えた業務用冷蔵庫等の用途にも適用できる。
【符号の説明】
【００５９】
３０、３１  コールド／ホット切替室
３２  コールド専用室
３３  第２熱交換器
３４、３５  蒸発器
３６  圧縮機（冷却システム）
３７  凝縮器（冷却システム）
３８  膨張弁
３９  膨張弁
４０  圧縮機（冷却加温システム）
４１  第１熱交換器（冷却加温システム）
４２  切替弁
４３  膨張弁
４７  ユニットベース（冷却加温システム）
４８  ユニットベース（冷却システム）
【図２】
2010250639.tif 000003
【図３】
2010250639.tif 000004
【図４】
2010250639.tif 000005
【図５】
2010250639.tif 000006
【図１】
2010250639.tif 000007
【図６】
2010250639.tif 000008
【図７】
2010250639.tif 000009